(57)【特許請求の範囲】
【請求項１】
パチンコ球を排出する排出装置と、
前記排出装置の下流側に設けられた２つの球流下路と、
前記排出装置から排出されるパチンコ球の流路を前記２つの球流下路の間で切り換える流路切換装置と、を備え、
前記排出装置は、供給されるパチンコ球を回転により球排出路に送り出すスプロケットを有し、
前記流路切換装置は、
前記スプロケットの回転軸と同心状に独立して軸支された流路切換部材と、
該流路切換部材の位置を、前記球排出路を第１の球流下路に連通させる第１の位置と第２の球流下路に連通させる第２の位置との間で切り換える駆動手段と、
から構成され、
前記駆動手段により前記流路切換部材を前記第１の位置に切り換えた状態で前記スプロケットを回転させることによりパチンコ球を前記球排出路から前記第１の球流下路に導き、前記駆動手段により前記流路切換部材を前記第２の位置に切り換えた状態で前記スプロケットを回転させることによりパチンコ球を前記球排出路から前記第２の球流下路に導くことを特徴とするパチンコ機。
【発明の詳細な説明】
【技術分野】
【０００１】
本発明は、パチンコ球の流路を切り換える流路切換装置を備えたパチンコ機に関するものである。
【背景技術】
【０００２】
従来の一般的なパチンコ機では、球貯溜タンクから排出装置までの球供給路の途中に、該球供給路から分岐する球抜き流路を設け、機台交換時や保守点検時等に、流路切換機構によりパチンコ球の流路を球抜き流路に切り換えて、パチンコ機内に貯えられたパチンコ球を機外に球抜きするようにしている。
【発明の概要】
【発明が解決しようとする課題】
【０００３】
しかし、上記従来のパチンコ機では、排出装置の上流側の球供給路の途中で球抜き流路に切り換えるため、球抜き流路の分岐部から排出装置までの間のパチンコ球が、球抜きされずにパチンコ機内に残ってしまうという欠点がある。
【０００４】
【０００５】
本発明はこのような事情を考慮してなされたものであり、従ってその目的は、排出装置の下流側でパチンコ球の流路を切り換えて、排出装置から排出されるパチンコ球を目的に応じた球流下路ヘ流下させることができるパチンコ機を提供することにある。
【課題を解決するための手段】
【０００６】
上記目的を達成するために、本発明の請求項１のパチンコ機は、排出装置の下流側に２つの球流下路を設け、排出装置から排出されるパチンコ球の流路を流路切換装置によって２つの球流下路の間で切り換える構成としたものである。この構成では、目的に応じて流路切換装置を切換動作させれば、排出装置の下流側でパチンコ球の流路を切り換えて、排出装置から排出されるパチンコ球を目的に応じた球流下路ヘ流下させることができる。また、本発明の請求項１のパチンコ機において、排出装置は、供給されるパチンコ球を回転により球排出路に送り出すスプロケットを有する構成としたものであり、流路切換装置は、スプロケットの回転軸と同心状に独立して軸支された流路切換部材と、この流路切換部材の位置を、球排出路を第１の球流下路に連通させる第１の位置と第２の球流下路に連通させる第２の位置との間で切り換える駆動手段と、から構成としたものである。この構成では、流路切換部材の位置を切り換えることで、第１の球流下路と第２の球流下路を切り換えることができる。しかも、排出装置のスプロケットと流路切換装置の流路切換部材が同心状に配置されるため、排出装置と流路切換装置をコンパクトに一体化することができる。
【０００７】
【０００８】
【０００９】
【００１０】
【００１１】
【００１２】
【００１３】
【００１４】
【００１５】
【００１６】
【００１７】
【００１８】
【発明の効果】
【００１９】
本発明の請求項１のパチンコ機によれば、排出装置の下流側に２つの球流下路を設け、排出装置から排出されるパチンコ球の流路を流路切換装置によって２つの球流下路の間で切り換えるようにしたので、排出装置から排出されるパチンコ球を目的に応じた球流下路ヘ流下させることができるとともに、流路切換装置の流路切換部材を排出装置のスプロケットの回転軸と同心状に独立して軸支するようにしたので、排出装置と流路切換装置をコンパクトに一体化することができ、省スペース化することができる。
【００２０】
【００２１】
【００２２】
【００２３】
【００２４】
【００２５】
【００２６】
【００２７】
【００２８】
【図面の簡単な説明】
【００２９】
【図１】本発明の実施形態（１）を示す排出・切換ユニット及びその周辺部の縦断正面図である。
【図２】実施形態（１）の排出・切換ユニット及びその周辺部の縦断側面図である。
【図３】電気的構成を示すブロック図である。
【図４】排出・流路切換制御プログラムの処理の流れを示すフローチャートである。
【図５】パチンコ機の背面図である。
【図６】本発明の実施形態（２）の排出・切換ユニットを示す縦断正面図で、（ａ）は賞球排出時の状態を示す図、（ｂ）は貸球排出時の状態を示す図である。
【図７】本発明の実施形態（３）の排出・切換ユニットを示す縦断正面図で、（ａ）は賞球排出時の状態を示す図、（ｂ）は貸球排出時の状態を示す図である。
【図８】実施形態（３）の排出・切換ユニットの縦断側面図である。
【発明を実施するための形態】
【００３０】
［実施形態（１）］
以下、本発明の実施形態に類似する実施形態（１）を図１乃至図５に基づいて説明する。
【００３１】
まず、図５に基づいてパチンコ機の裏面側の構成を概略的に説明する。パチンコ機の本体枠１１の裏面側には、裏部品を組み付ける裏セット盤１７が取り付けられている。この裏セット盤１７の上部には、パチンコ球を貯溜する球タンク１２が設けられ、この球タンク１２には、そこから流れ出るパチンコ球を整列状態で流下させる２条のタンクレール１３が接続されている。このタンクレール１３の下端には、２条の球供給路１４が設けられ、その球供給路１４の下端に、排出装置１５と流路切換装置１６をユニット化した排出・切換ユニット４２が設けられている。
【００３２】
裏セット盤１７の中央部には、入賞球を集める集合樋１９が設けられ、この集合樋１９の下流部に、入賞球（証拠球）の通過を検出する入賞球センサ２０が設けられている。入賞球センサ２０の出力信号は遊技制御回路７３に入力される。また、パチンコ機の前面には、球貸し用のプリペイドカードの記録情報を読み取るためのカードユニット２１（図３参照）が設けられている。
【００３３】
次に、排出・切換ユニット４２の構成を説明する。図１及び図２に示すように排出・切換ユニット４２は、１つの樹脂製のユニットケース４３内に排出装置１５と流路切換装置１６を組み込んで構成している。ユニットケース４３内の上部には、２条の球供給路１４に接続される２条流路１４ｂが設けられ、この２条流路１４ｂの２つの出口１４ａの下方にそれぞれスプロケット２２が配置されている。各スプロケット２２の外周には、２条流路１４ｂから落下するパチンコ球を受け入れる複数（例えば４個）の凹部２３が等間隔に形成され、各凹部２３間に、２条流路１４ｂの出口１４ａのパチンコ球を受け支える凸部２４が形成されている。各スプロケット２２の右側方には、それぞれ２条流路１４ｂの出口１４ａから下方に延びる２条の球排出路２５が設けられている。
【００３４】
一方、流路切換装置１６には、２条の賞球流下路２６と２条の貸球流下路２７が、排出装置１５の２条の球排出路２５から分岐するように設けられている。賞球流下路２６は、貸球流下路２７よりもパチンコ球の流下頻度が高いため、球排出路２５からほぼ真下に延びるように形成され、より良好な球流れを確保できるようになっている。
【００３５】
賞球流下路２６と貸球流下路２７の分岐部には、流路切換弁２８が設けられている。この流路切換弁２８を起立させた状態（図１に実線で示す状態）とすれば、貸球流下路２７ヘの流路が塞がれると共に賞球流下路２６ヘの流路が開放され、パチンコ球を賞球流下路２６ヘ排出する流路が形成される（以下、この位置を「賞球流路形成位置」という）。一方、流路切換弁２８を賞球流下路２６側へ傾動させた状態（図１に二点鎖線で示す状態）に切り換えると、賞球流下路２６ヘの流路が塞がれると共に貸球流下路２７ヘの流路が開放され、パチンコ球を貸球流下路２７ヘ排出する流路が形成される（以下、この位置を「貸球流路形成位置」という）。
【００３６】
また、流路切換装置１６の賞球流下路２６と貸球流下路２７は、それぞれ排出・切換ユニット４２の下方に設けられた賞球流下路４４と貸球流下路４５につながっており、賞球流下路４４に賞球の通過を検出する賞球通過センサ３０（賞球検出手段）が設けられ、貸球流下路４５に貸球の通過を検出する貸球通過センサ３１（貸球検出手段）が設けられている。賞球流下路４４と貸球流下路４５は、賞球通過センサ３０と貸球通過センサ３１の下流で合流してパチンコ機の前面の球受け皿（図示せず）につながっている。
【００３７】
図２に示すように、２条流路１４ｂの２つの出口１４ａに対向する２つのスプロケット２２は回転軸３３と一体に形成され、この回転軸３３が２条流路１４ｂの下方部に回転自在に取り付けられている。また、両スプロケット２２間で凹部２３（凸部２４）の位置が互い違いとなっている。回転軸３３の一端はモータ３４の回転軸３５に嵌着され、モータ３４は、ステッピングモータ等の回転角を制御できるモータにより構成されている。
【００３８】
モータ３４の停止時には、一方のスプロケット２２は、凸部２４が２条流路１４ｂの一方の出口１４ａに対向して該出口１４ａのパチンコ球を受け支えて落下を阻止し、他方のスプロケット２２は、凹部２３が２条流路１４ｂの他方の出口１４ａに対向して、凹部２３内にパチンコ球を受け入れて落下を阻止する。
【００３９】
一方、モータ３４の駆動時には、両スプロケット２２が時計回り方向（図１の矢印Ａ方向）に回転して、凹部２３が出口１４ａに対向する毎にパチンコ球を凹部２３に受け入れ、そのパチンコ球を球排出路２５に落下させるようになっている。
【００４０】
また、２条の球排出路２５に対応した２つの流路切換弁２８は一体又は別体に形成され、共通の軸３６を介して賞球及び貸球流下路２６，２７の分岐部に回動自在に取り付けられている。流路切換弁２８には、軸３６方向に対して垂直方向に延びるアーム部３７（図１参照）が一体に形成され、このアーム部３７の先端部分に、ソレノイド３８（駆動手段）のプランジャ３９が２つの連結部材４０，４１を介して連結されている。これにより、プランジャ３９の上下運動を流路切換弁２８の回動運動に変換させるようになっている。プランジャ３９は、ソレノイド３８に内蔵されたスプリング（図示せず）により下方に付勢されている。
【００４１】
ソレノイド３８のオフ時（非通電時）には、プランジャ３９が下方に位置してアーム部３７が押し下げられ、流路切換弁２８が反時計回り方向に回動して賞球流路形成位置に保持される。一方、ソレノイド３８のオン時（通電時）には、プランジャ３９が磁気吸引力によりスプリングのバネ力に抗して上方に移動してアーム部３７を引き上げ、流路切換弁２８が時計回り方向に回動して貸球流路形成位置に切り換えられる。
【００４２】
前述した賞球及び貸球検出センサ３０，３１の出力信号は、排出制御回路１８（図３参照）に入力される。この排出制御回路１８は、例えばマイクロコンピュータを主体として構成され、内蔵するＲＯＭ（記憶媒体）に記憶されている図４に示す排出・流路切換制御プログラムを実行することで、排出装置１５及び流路切換装置１６の動作を制御し、特許請求の範囲でいう切換制御手段及び排出制御手段として機能する。尚、排出制御回路１８と排出・切換ユニット４２との間の配線処理を簡素化するために、排出制御回路１８から１束のハーネス（図示せず）を排出・切換ユニット４２近傍まで配線し、そこでハーネスを分岐して排出装置１５と流路切換装置１６に接続するようにしている。
【００４３】
以下、排出制御回路１８による制御内容を図４に示す排出・流路切換制御プログラムに基づいて説明する。本プログラムは、排出制御回路１８の電源投入と同時に起動され、まず、ステップ１０１で、球貸し要求が有るか否かを、カードユニット２１からの出力信号に基づいて判定し、もし、球貸し要求が有れば、ステップ１０２〜１０７の処理を行わず、ステップ１０８に進む。
【００４４】
一方、ステップ１０１で球貸し要求が無いと判定されれば、ステップ１０２に進み、賞球払出要求が有るか否かを、遊技制御回路２０からの賞球指令信号の有無により判定し、賞球払出要求がなければ、ステップ１０１に戻る。もし、ステップ１０２で賞球払出要求が有りと判定されれば、ステップ１０３に進み、流路切換弁２８が賞球流路形成位置であるか否かを、流路切換装置１６のソレノイド３８がオフとなっているか否かによって判定する。電源投入後の初期状態では、ソレノイド３８がオフされて、流路切換弁２８が賞球流路形成位置に保持されている状態が正常であるので、もし、ソレノイド３８がオフでなければ、流路切換弁２８が賞球流路形成位置に保持されていない異常状態であると判断して、ステップ１０４に進み、エラー処理を実行し、賞球の排出を停止して、故障表示ランプ（図示せず）を点灯又は点滅させる。尚、この異常情報をホストコンピュータ（図示せず）に送信するようにしても良い。
【００４５】
上記ステップ１０３で、ソレノイド３８がオフとなっていると判定された場合は、流路切換弁２８が賞球流路形成位置に保持されていると判断して、ステップ１０５に進み、排出装置１５のモータ３４を起動してスプロケット２２を回転させ、入賞価値に応じた所定数のパチンコ球（賞球）を排出する。この場合、流路切換弁２８が賞球流路形成位置に保持されているため、排出装置１５から排出された賞球は賞球流下路２６，４４を流下する。この際、賞球が賞球通過センサ３０を通過する毎に、賞球通過センサ３０から賞球検出信号が出力され、払い出された賞球の個数がカウントされる。
【００４６】
この後、ステップ１０６で、排出装置１５が所定数の賞球を排出し終えてから所定の賞球検出監視期間α内に、所定数の賞球を全てカウントしたか否かを判定する。ここで、賞球検出監視期間αは、パチンコ球が正常に流下する状態で、排出装置１５が所定数の賞球を排出し終えてから、それらの賞球の内最後の一球が賞球通過センサ３０の検出位置を通過するまでに要する時間α0 よりも少し長く設定された期間である。もし、賞球検出監視期間α内に所定数の賞球がカウントされなければ、球詰り等により賞球が正常に流下していない異常状態であると判断し、ステップ１０７に進み、上述したエラー処理を行う。
【００４７】
一方、ステップ１０６で、賞球検出監視期間α内に所定数の賞球をカウントしたと判定された場合は、所定数の賞球が全て正常に流下したと判断し、上記ステップ１０１に戻り、球貸し要求が発生しない限り、賞球払出要求が発生する毎に排出装置１５から所定数の賞球を賞球流下路２６，４４に排出する動作を繰り返す。
【００４８】
その後、カードユニット２１に所定のプリペイドカードが挿入されて、球貸し要求が発生した場合には、ステップ１０１からステップ１０８に進み、流路切換装置１６のソレノイド３８をオンして、流路切換弁２８をスプリングのバネ力に抗して貸球流路形成位置ヘ回動させ、パチンコ球の流路を貸球流下路２７へ切り換える。
【００４９】
この後、ステップ１０９で、貸球流下路２７への流路切換指令（ソレノイド３８のオン指令）を出力してから所定時間Ｋが経過したか否かを判定する。ここで、所定時間Ｋは、流路切換指令を出力してから流路切換弁２８が実際に貸球流路形成位置に到達するまでに要するのに十分な時間に設定されている。従って、貸球流路形成位置ヘの流路切換指令を出力してから所定時間Ｋが経過したときに、流路切換弁２８が貸球流路形成位置に切り換わったと判断して、ステップ１１０に進み、排出装置１５のモータ３４を起動してスプロケット２２を回転させ、支払代価に応じた所定数のパチンコ球（貸球）を排出する。この場合、流路切換弁２８が貸球流路形成位置に切り換わっているため、排出装置１５から排出された貸球は貸球流下路２７，４５を流下する。この際、貸球が貸球通過センサ３１を通過する毎に、貸球通過センサ３１から貸球検出信号が出力され、払い出された貸球の個数がカウントされる。
【００５０】
この後、ステップ１１１で、排出装置１５が所定数の貸球を排出し終えてから貸球検出監視期間δ内に、所定数の貸球を全てカウントしたか否かを判定する。ここで、貸球検出監視期間δは、パチンコ球の正常流下状態で、排出装置１５が所定数の貸球を排出し終えてから、それらの貸球の内最後の一球が貸球通過センサ３１の検出位置を通過するまでに要する時間δ0 よりも少し長く設定された期間である。もし、貸球検出監視期間δ内に所定数の貸球がカウントされなければ、球詰り等により貸球が正常に流下していない異常状態であると判断し、ステップ１１２に進み、上述したエラー処理を実行する。
【００５１】
一方、ステップ１１１で、貸球検出監視期間δ内に所定数の貸球をカウントしたと判定された場合は、所定数の貸球が全て正常に流下したと判断し、次のステップ１１３に進み、流路切換装置１６のソレノイド３８をオフして、流路切換弁２８をスプリングのバネ力によって賞球流路形成位置へ戻し、パチンコ球の流路を賞球流下路２６に戻す。
【００５２】
その後、ステップ１１４で、賞球流下路２６への流路切換指令（ソレノイド３８のオフ指令）を出力してから所定時間Ｓが経過したか否かを判定する。ここで、所定時間Ｓは、流路切換指令を出力してから流路切換弁２８が実際に賞球流路形成位置に戻るまでに要するのに十分な時間に設定されている。従って、賞球流路形成位置ヘの流路切換指令を出力してから所定時間Ｓが経過したときに、流路切換弁２８が賞球流路形成位置に戻ったと判断して、ステップ１０１に戻り、上述した一連の処理を繰り返す。
【００５３】
以上説明した本実施形態（１）では、排出装置１５の下流側に賞球流下路２６と貸球流下路２７を設け、排出装置１５から排出されるパチンコ球の流路を流路切換装置１６によって切り換えるようにしたので、賞球か貸球かに応じて流路を排出装置１５の下流側で切り換えることで、賞球と貸球を、それぞれ別々の賞球流下路２６，４４と貸球流下路２７，４５に排出することができると共に、それぞれの球流下路４４，４５に設けられた賞球通過センサ３０と貸球通過センサ３１により排出された賞球と貸球の個数を別々にカウントすることができる。
【００５４】
尚、賞球流下路２６，４４と貸球流下路２７，４５を透明な材料で形成すると共に、賞球流下路２６，４４と貸球流下路２７，４５の少なくとも一方に識別シール等の識別手段を設け、賞球流下路２６，４４と貸球流下路２７，４５を流れるパチンコ球を目視で確認できるようにしても良い。
【００５５】
更に、本実施形態（１）では、排出装置１５と流路切換装置１６とをユニット化して排出・切換ユニット４２を構成したので、組立工程で１つの排出・切換ユニット４２をパチンコ機に組み付けるという１回の組付作業で、排出装置１５と流路切換装置１６をパチンコ機に取り付ける作業が完了する。しかも、排出装置１５と流路切換装置１６とをユニット化すれば、パチンコ機への組付前に必要に応じて排出装置１５と流路切換装置１６との間の位置調整を済ませておくことができ、パチンコ機ヘの組付時には位置調整を行う必要がなくなる。従って、排出装置１５と流路切換装置１６との組付性を向上させることができ、パチンコ機の組立能率を向上できて、組立コストを低減できる。
【００５６】
しかしながら、排出装置１５と流路切換装置１６とをユニット化せずに、別体構成としても良く、この場合でも、所期の目的を達成することができる。
【００５７】
また、本実施形態（１）では、遊技中に、賞球排出中又は賞球排出直後に球貸し要求が発生すると、賞球通過センサ３０によって所定数の賞球が賞球流下路２６，４４に流下したことを確認した後に、流路切換装置１６による貸球流下路２７ヘの流路切換動作を開始する。これにより、全ての賞球が賞球流下路２６，４４に流下する以前に流路が切り換わってしまうことが防止され、一部の賞球が貸球流下路２７，４５に流れ込んでしまうことが防止される。
【００５８】
その後、貸球流下路２７への流路切換指令を出力してから流路切換弁２８が貸球流路形成位置に切り換わるのに十分な所定時間Ｋが経過してから、排出装置１５による貸球排出動作を開始する。これにより、排出装置１５から排出された貸球の最初の１〜数個が、賞球流下路２６，４４に流れ込んでしまうことが防止される。
【００５９】
その後、貸球通過センサ３１によって所定数の貸球が貸球流下路２７，４５に流下したことを確認した後に、流路切換装置１６による賞球流下路２６ヘの流路切換動作を開始する。これにより、全ての貸球が貸球流下路２７，４５に流下する以前に流路が切り換わってしまうことが防止される。そして、賞球流下路２６への流路切換指令を出力してから流路切換弁２８が賞球流路形成位置に戻るのに十分な所定時間Ｓが経過した後、賞球払出要求があれば、排出装置１５による賞球の排出動作を開始する。
【００６０】
従って、たとえ遊技中であっても、流路切換装置１６による賞球流下路２６と貸球流下路２７との間の流路の切換と、排出装置１５によるパチンコ球の排出動作を的確なタイミングで行うことができ、賞球と貸球を、それぞれ別々の球流下路（賞球流下路２６と貸球流下路２７）へ確実に流下させることができて、動作信頼性の高いパチンコ機を実現することができる。
【００６１】
尚、上記実施形態（１）では、流路切換指令（ソレノイド３８のオン又はオフ指令）を出力してから所定時間Ｋ又はＳが経過したか否かにより、流路切換弁２８が賞球又は貸球流路形成位置に切り換わったか否かを判断するようにしたが、流路切換弁２８の位置を確認する流路確認センサを設け、この流路確認センサによって流路切換弁２８が賞球又は貸球流路形成位置に切り換わったことを確認するようにしても良い。
【００６２】
［実施形態（２）］
次に、図６に基づいて本発明の実施形態に類似する実施形態（２）を説明する。但し、上記実施形態（１）と実質的に同じ部分には、同一符号を付して説明を省略する。
【００６３】
本実施形態（２）の排出・切換ユニット４６では、排出装置１５の球排出路２５の下方部に、流路切換通路４７が軸４８を介して回動自在に取り付けられ、この流路切換通路４７の下方に、賞球流下路２６と貸球流下路２７が並設されている。流路切換通路４７の右側部には連結部４９が一体に形成され、この連結部４９に、ソレノイド３８のプランジャ３９が連結されている。プランジャ３９が水平方向に動くことで、流路切換通路４７が軸４８を支点にして左右方向に揺動するようになっている。これら流路切換通路４７、ソレノイド３８等から流路切換装置７１が構成されている。また、賞球流下路２６と貸球流下路２７に、それぞれ賞球通過センサ３０、貸球通過センサ３１が組み付けられ、賞球通過センサ３０と貸球通過センサ３１が排出・切換ユニット４６に組み込まれている。
【００６４】
排出装置１５から賞球を排出する場合は、図６（ａ）に示すように、流路切換通路４７を賞球流下路２６側に揺動させて流路切換通路４７の球出口４７ａを賞球流下路２６に合わせることで、球排出路２５を賞球流下路２６に連通させる。これにより、賞球は賞球流下路２６，４４を流下し、その個数が賞球通過センサ３０によってカウントされる。
【００６５】
一方、排出装置１５から貸球を排出する場合は、図６（ｂ）に示すように、流路切換通路４７を貸球流下路２７側に揺動させて球出口４７ａを貸球流下路２７に合わせることで、球排出路２５を貸球流下路２７に連通させる。これにより、貸球は貸球流下路２７，４５を流下し、その個数が貸球通過センサ３１によってカウントされる。
【００６６】
以上説明した実施形態（２）では、賞球通過センサ３０と貸球通過センサ３１を排出・切換ユニット４６に組み込むようにしたので、排出・切換ユニット４６をパチンコ機に組み付けるだけで、賞球通過センサ３０と貸球通過センサ３１の組付けも同時に行うことができ、組付性を更に向上することができる。
【００６７】
しかしながら、本発明は、賞球及び貸球通過センサ３０，３１を排出・切換ユニット４６に組み込む構成に限定されず、前記実施形態（１）と同じように、賞球通過センサ３０や貸球通過センサ３１を、それぞれ賞球流下路４４と貸球流下路４５に設け、排出・切換ユニット４６に組み込まない構成としても良く、この場合でも、本発明の所期の目的を十分に達成することができる。
【００６８】
［実施形態（３）］
次に、図７及び図８に基づいて本発明の実施形態である実施形態（３）の排出・切換ユニット５０を説明する。但し、前記実施形態（１）と実質的に同じ部分には、同一符号を付して説明を省略する。
【００６９】
本実施形態（３）では、排出装置１５は、球排出路２５に上下２箇所に収斂通路部５１（図８参照）が形成され、２条流路１４ｂから２条で供給されるパチンコ球は、収斂通路部５１によって１条に収斂されて排出される。そして、球排出路２５の下方に、１条分の賞球口５２と貸球口５３が並設され、これら賞球口５２と貸球口５３が、それぞれ排出・切換ユニット５０下方の賞球流下路４４と貸球流下路４５につながっている。また、賞球口５２と貸球口５３の上方には、流路切換シャッタ５４（流路切換部材）が、スプロケット２２の回転軸３３の中心に対して同心状に独立して配置された軸５５（図８参照）を介して回動自在に取り付けられている。この流路切換シャッタ５４の湾曲面５６には、球通過孔５７が形成され、球通過孔５７の右側方に垂直壁部５８が形成されている。更に、流路切換シャッタ５４にはアーム部５９が一体に形成され、このアーム部５９は、軸６０に回動可能に支持された第１のアーム６１と、この第１のアーム６１の中央部に連結された第２のアーム６２とを介してソレノイド３８のプランジャ３９に連結されている。これにより、プランジャ３９の上下運動が流路切換シャッタ５４の回動運動に変換されるようになっている。これら流路切換シャッタ５４、ソレノイド３８等から流路切換装置７２が構成されている。
【００７０】
排出装置１５から賞球を排出する場合は、図７（ａ）に示すように、流路切換シャッタ５４を時計回り方向に回動させて湾曲面５６を球排出路２５の裏側に後退させると共に球通過孔５７を賞球口５２に合わせることで、賞球流下路４４への流路を開放すると共に垂直壁部５８によって貸球口５３への流路を遮断し、球排出路２５を賞球流下路４４に連通させる。これにより、賞球は賞球流下路４４を流下し、その個数が賞球通過センサ３０によってカウントされる。
【００７１】
一方、排出装置１５から貸球を排出する場合は、図７（ｂ）に示すように、流路切換シャッタ５４を反時計回り方向に回動させて、湾曲面５６を賞球口５２の上方に位置させると共に球通過孔５７を貸球口５３に合わせることで、賞球流下路４４への流路を塞ぐと共に貸球流下路４５への流路を開放し、球排出路２５を貸球流下路４５に連通させる。これにより、貸球は貸球流下路４５を流下し、その個数が貸球通過センサ３１によってカウントされる。
【００７２】
以上説明した実施形態（３）では、排出装置１５のモータ３４、スプロケット２２及び流路切換装置７２の流路切換シャッタ５４を同心状に配置して、排出装置１５と流路切換装置７２とをコンパクトに一体化したので、省スペース化の要求も満たすことができる。
【００７３】
尚、上記各実施形態では、排出装置１５の下流側に、賞球流下路と貸球流下路を設け、賞球と貸球の流路を切り換えるようにしたが、排出装置１５の下流側に、球受け皿に通じる払出用の流下路とパチンコ機外に通じる球抜き流下路を設け、球抜き時に、パチンコ球の流路を球抜き流下路に切り換えて排出装置１５を排出動作させることで、パチンコ機内（排出装置１５の上流側）にパチンコ球を残すことなく、球抜きすることができるようにしても良い。
【００７４】
また、上記各実施形態では、スプロケットタイプの排出装置１５を用いたが、例えばリードスクリュータイプの排出装置を用いるようにしても良い。また、球供給路１４、球排出路２５、賞球流下路２６，４４及び貸球流下路２７，４５の条数を適宜変更しても良い。
【符号の説明】
【００７５】
１１…本体枠、１４…球供給路、１５…排出装置、１６…流路切換装置、１８…排出制御回路、２２…スプロケット、２５…球排出路、２６…賞球流下路、２７…貸球流下路、２８…流路切換弁、３０…賞球通過センサ、３１…貸球通過センサ、３４…モータ、３８…ソレノイド（駆動手段）、３９…プランジャ、４２…排出・切換ユニット、４３…ユニットケース、４４…賞球流下路（第１の球流下路）、４５…貸球流下路（第２の球流下路）、４６…排出・切換ユニット、４７…流路切換通路、５０…排出・切換ユニット、５２…賞球口、５３…貸球口、５４…流路切換シャッタ（流路切換部材）、５６…湾曲面、５７…球通過孔、５８…垂直壁部、７１，７２…流路切換装置、７３…遊技制御回路。
【図１】
0004743309.tif 000002
【図２】
0004743309.tif 000003
【図３】
0004743309.tif 000004
【図４】
0004743309.tif 000005
【図５】
0004743309.tif 000006
【図６】
0004743309.tif 000007
【図７】
0004743309.tif 000008
【図８】
0004743309.tif 000009